(57)【要約】【課題】同じデータが異なる記憶装置に記憶されている場合、それぞれのデータにどのような処理が行われているかを容易に把握できる管理ファイルのデータ構造、該管理ファイルを含む情報処理装置を実現する。【解決手段】外部記憶装置６および内部記憶部３を含む複数の記憶装置に記憶されるデータを処理する情報処理装置１０であって、複数の記憶装置に記憶されるデータをそれぞれ管理するための管理情報を含む管理ファイルであって、複数の記憶装置に記憶される共通のデータに対して、１つの管理情報を含む管理ファイルを内部記憶部３に記憶する情報処理装置１０において、複数の記憶装置に記憶されたデータの処理を行う処理部１２と、処理部１２が処理を行うと、管理ファイルを更新する管理ファイル更新部９とを備える構成である。【選択図】図１
2008299446.tif 000002
【特許請求の範囲】
【請求項１】
複数の記憶装置に記憶されるデータをそれぞれ管理するための管理情報を含む管理ファイルのデータ構造であって、
上記管理ファイルは、元が同じデータであって上記複数の記憶装置に記憶される複数のデータであるファミリーデータ群に対して、１つの管理情報を含むことを特徴とする管理ファイルのデータ構造。
【請求項２】
上記管理情報は、データの処理の履歴を含むことを特徴とする請求項１に記載の管理ファイルのデータ構造。
【請求項３】
外部記憶装置および内部記憶部を含む複数の記憶装置に記憶されるデータを処理する情報処理装置であって、請求項１または２に記載のデータ構造を有する管理ファイルを上記内部記憶部に記憶することを特徴とする情報処理装置。
【請求項４】
上記複数の記憶装置に記憶されたデータの処理を行う処理手段と、
該処理手段が処理を行うと、上記管理ファイルを更新する管理ファイル更新手段とを備えることを特徴とする請求項３に記載の情報処理装置。
【請求項５】
上記処理手段は、上記管理ファイルにおける或る管理情報に対応するデータの１つを消去する場合、上記管理情報に対応する残りのデータも消去することを特徴とする請求項４に記載の情報処理装置。
【請求項６】
上記管理ファイル更新手段は、上記管理ファイルにおける或る管理情報に対応するデータが全て消去された場合、上記管理情報を消去することを特徴とする請求項４に記載の情報処理装置。
【請求項７】
上記処理手段は、上記管理ファイルにおける或る管理情報に対応するデータの１つを変更した場合、上記管理情報に対応する残りのデータを、上記変更されたデータとすることを特徴とする請求項４に記載の情報処理装置。
【請求項８】
上記管理情報は、データの出力履歴を含んでおり、
上記処理手段が、上記管理ファイルにおける或る管理情報に対応するデータの１つを出力した場合、上記管理ファイル更新手段は、管理情報を出力済みにすることを特徴とする請求項４に記載の情報処理装置。
【請求項９】
上記外部記憶装置が接続されているか否かを判断する外部記憶装置制御手段を備え、
上記処理手段がデータの処理を行うときに、処理の対象となるデータが外部記憶装置に記憶され、かつ外部記憶装置が接続されていない場合、上記外部記憶装置制御手段は、外部記憶装置が接続されていない旨を報知することを特徴とする請求項４に記載の情報処理装置。
【請求項１０】
上記管理ファイル更新手段は、上記外部記憶装置が接続されたとき、該外部記憶装置内に記憶されているデータを検索し、上記内部記憶部に記憶されている該データに対応する管理情報を更新することを特徴とする請求項４に記載の情報処理装置。
【請求項１１】
上記管理情報は、複数の上記外部記憶装置を識別する識別情報を含むことを特徴とする請求項４に記載の情報処理装置。
【請求項１２】
データを処理する場合、該データに対応する管理情報の識別情報と接続されている外部記憶装置の識別情報とが対応しないとき、上記処理手段は、外部記憶装置が相違している旨を報知することを特徴とする請求項１１に記載の情報処理装置。
【請求項１３】
請求項３から１２のいずれか１項に記載の情報処理装置がコンピュータによって実現され、当該コンピュータを上記各手段として機能させるための情報処理装置制御プログラム。
【請求項１４】
請求項１３に記載の情報処理装置制御プログラムを記録したコンピュータ読み取り可能な記録媒体。
【請求項１５】
外部記憶装置および内部記憶部を含む複数の記憶装置に記憶されるデータを処理する情報処理装置であって、上記複数の記憶装置に記憶されるデータをそれぞれ管理するための管理情報を含む管理ファイルであって、上記複数の記憶装置に記憶される共通のデータに対して、１つの管理情報を含む管理ファイルを上記内部記憶部に記憶する情報処理装置の制御方法であって、
上記複数の記憶装置に記憶されたデータの処理を行う処理ステップと、
該処理ステップにて処理が行われると、上記管理ファイルを更新する管理ファイル更新ステップとを含むことを特徴とする情報処理装置の制御方法。
【発明の詳細な説明】
【技術分野】
【０００１】
本発明は、管理ファイルのデータ構造、該管理ファイルを含む情報処理装置、特に、外部記憶装置が接続可能な情報処理装置、情報処理装置の制御方法、情報処理装置制御プログラムおよび該プログラムを記録したコンピュータ読み取り可能な記録媒体に関するものである。
【背景技術】
【０００２】
近年、様々な文書、資料、映像等のデジタル化に伴い、画像情報や音声情報をはじめとする各種の情報がデータ化され、その数も増大している。そして、情報の処理を行う情報処理装置の内部に記憶されるデータも飛躍的に増大している。また、ユーザが記憶させておきたいデータも増大している。
【０００３】
しかしながら、情報装置の内部に記憶できる容量にはおのずと限界があり、各種データを無限に記憶できるわけではない。
【０００４】
そこで、外部の記憶装置を情報処理装置と接続することで、上記問題を解決する方法がある。外部の記憶装置とは、例えば、外付けのハードディスク、フロッピー（登録商標）ディスク装置、ＣＤ−Ｒ（compact disk-recordable）装置、ＤＶＤ（digital versatile disc）装置およびＵＳＢ（universal serial bus）メモリ等が挙げられる。
【０００５】
また、これらの外部記憶装置のうちの１つだけを用いるのではなく、複数の外部記憶装置を用いて各種情報を記憶させることもできる。
【０００６】
しかしながら、外部の複数の記憶装置または複数の記録メディアを使用した場合、記憶しているデータの出力、変更、消去等の処理の有無が容易には認識できない。特に、外部の記憶装置にデータが記憶されており、かつ外部の記憶装置が自装置と接続されていない場合は、該データの出力、変更、消去等の処理の有無は全く認識できない。
【０００７】
例えば、或るデータを出力する場合、該データが外部記憶装置に存在すると、上記データを出力するためには上記外部記憶装置を接続する必要がある。しかし、該外部記憶装置が接続されていない場合、ユーザは、出力の対象となる上記データが存在するのかしないのか把握できない。また、或るデータを消去する場合に、該データが自装置と外部記憶装置との両方に存在すると、ユーザは自装置の上記データのみを消去しただけであっても、上記データは全て消去したと勘違いし、外部記憶装置には上記データが残っているということもある。
【０００８】
特許文献１に記載の発明は、データ通信装置において上記問題点に対応するものである。すなわち、特許文献１に記載の発明では、自装置でフロッピー（登録商標）ディスクにデータを記録した場合に、該データの管理情報を自装置内に記憶する。そして、フロッピー（登録商標）ディスクに記憶されているデータについて、自装置とは別のデータ通信装置で出力された場合には、上記データを出力したという内容を示す信号を、上記他のデータ通信装置が自装置に通信し、自装置は内部の管理情報を更新するというものである。
【０００９】
また、特許文献２に記載の発明は、データ処理装置において、上記消去に関する問題点に対応するものである。すなわち、自装置と外部記憶装置との両方に同じデータが記憶されている場合に、外部記憶装置が自装置から外れると、自装置内部に記憶されているデータを消去するというものである。
【特許文献１】特開平４−３２９４５１号公報（公開日：１９９２年１１月１８日）
【特許文献２】特開平４−３５７７６１号公報（公開日：１９９２年１２月１０日）
【発明の開示】
【発明が解決しようとする課題】
【００１０】
しかしながら、上記従来の構成では、以下のような問題を生じる。
【００１１】
すなわち、特許文献１に記載の発明では、自装置と外部記憶装置との両方に同じデータを記憶する場合を考慮していない。よって、上述した消去したいデータが自装置と外部記憶装置との両方に記憶されている場合に、一方のデータを消去し、他方のデータが残存しているとき、データが完全に消去されているのか、すなわち両装置からデータが消去されているのかを把握することができない。
【００１２】
また、特許文献２に記載の発明では、データを自装置に記憶させておきたい場合であっても、同じデータを記憶している外部記憶装置を取り外した場合、自装置からデータが消去されてしまう。すなわち、同じデータを自装置と外部記憶装置との両方に記憶させておくことができない。
【００１３】
本発明は、上記の問題点に鑑みてなされたものであり、その目的は、同じデータが異なる記憶装置に記憶されている場合、それぞれのデータにどのような処理が行われているかを容易に把握できる管理ファイルのデータ構造、該管理ファイルを含む情報処理装置などを実現することにある。
【課題を解決するための手段】
【００１４】
上記課題を解決するために、本発明に係る管理ファイルのデータ構造は、複数の記憶装置に記憶されるデータをそれぞれ管理するための管理情報を含む管理ファイルのデータ構造であって、上記管理ファイルは、元が同じデータであって上記複数の記憶装置に記憶される複数のデータであるファミリーデータ群に対して、１つの管理情報を含むことを特徴としている。
【００１５】
例えば、管理情報がデータ毎に別々に記憶されている場合は、同じデータであっても、記憶されている場所が異なれば別々のデータとして扱われるので、同じデータに対し同様の処理があったということは認識することが困難である。
【００１６】
これに対し、本願請求項１に係る発明の上記の構造によれば、複数の記憶装置に記憶されている或る元が同じデータに対して１つの管理情報が対応する。したがって、元が同じであるデータの記憶されている装置が異なっていても、該データに対応するファミリーデータ群の管理情報を１つ参照すれば、元が同じであるデータにどのような処理が行われているかを容易に把握することができる。
【００１７】
本発明に係る管理ファイルのデータ構造では、上記管理情報は、データの処理の履歴を含むものであることが好ましい。
【００１８】
上記のデータ構造によれば、データの処理の履歴が管理情報に含まれるので、各データの処理の履歴を認識することができる。ここで、処理の内容としては、記憶、変更、消去等が挙げられる。
【００１９】
例えば、記憶装置Ａと記憶装置ＢにデータＣが記憶されている場合に、記憶装置Ａに記憶されているデータＣに対してのみ変更処理を行うと、データＣに関する管理情報には、記憶装置Ａに記憶されるデータＣに対して変更済みの履歴情報が含まれ、記憶装置Ｂに記憶されるデータＣに対して未変更の処理履歴が含まれることとなる。これにより、ユーザは、データＣに対応する管理情報１つを参照することにより、複数の記憶装置に記憶されたデータＣについての過去の変更の有無が認識できる。
【００２０】
また、同様に、記憶装置Ａと記憶装置ＢにデータＣが記憶されている場合に、記憶装置Ａに記憶されているデータＣに対してのみ消去処理を行うと、データＣに関する管理情報には、記憶装置Ａに記憶されるデータＣに対して消去済みの履歴情報が含まれ、記憶装置Ｂに記憶されるデータＣに対して未消去の処理履歴が含まれることとなる。これにより、ユーザは、データＣに対応する管理情報１つを参照することにより、複数の記憶装置に記憶されたデータＣについての過去の消去の有無が認識できる。
【００２１】
上記課題を解決するために、本発明に係る情報処理装置は、外部記憶装置および内部記憶部を含む複数の記憶装置に記憶されるデータを処理する情報処理装置であって、上記データ構造を有する管理ファイルを上記内部記憶部に記憶することを特徴としている。
【００２２】
上記の構成によれば、情報処理装置は、上記管理ファイルを上記内部記憶部に記憶する。これにより、外部記憶装置が自装置と接続されていなくても、外部記憶装置に記憶されているデータの管理情報を把握できる。
【００２３】
本発明に係る情報処理装置では、上記複数の記憶装置に記憶されたデータの処理を行う処理手段と、該処理手段が処理を行うと、上記管理ファイルを更新する管理ファイル更新手段とを備えるものであることが好ましい。
【００２４】
また、上記課題を解決するために、本発明に係る情報処理装置の制御方法は、外部記憶装置および内部記憶部を含む複数の記憶装置に記憶されるデータを処理する情報処理装置であって、上記複数の記憶装置に記憶されるデータをそれぞれ管理するための管理情報を含む管理ファイルであって、上記複数の記憶装置に記憶される共通のデータに対して、１つの管理情報を含む管理ファイルを上記内部記憶部に記憶する情報処理装置の制御方法であって、上記複数の記憶装置に記憶されたデータの処理を行う処理ステップと、該処理ステップにて処理が行われると、上記管理ファイルを更新する管理ファイル更新ステップとを含むことを特徴としている。
【００２５】
上記の構成および方法によれば、上記複数の記憶装置に記憶されたデータの処理が行われ、該処理の内容に応じて管理ファイルの管理情報が更新される。これにより、処理した内容が管理情報に反映され、ユーザは、管理情報からデータに対する処理を認識することができる。
【００２６】
本発明に係る情報処理装置では、上記処理手段は、上記管理ファイルにおける或る管理情報に対応するデータの１つを消去する場合、上記管理情報に対応する残りのデータも消去するものであってもよい。
【００２７】
上記の構成によれば、或る管理情報に対応する消去の対象となるデータが、複数の記憶装置に記憶されている場合、処理手段は、１つのデータを消去した後、残りのデータも消去する。したがって、消去の対象となるデータに対応する管理情報と対応する他の記憶装置に記憶されているデータに対しても消去の処理を反映することができる。
【００２８】
本発明に係る情報処理装置では、上記管理ファイル更新手段は、上記管理ファイルにおける或る管理情報に対応するデータが全て消去された場合、上記管理情報を消去するものであってもよい。
【００２９】
上記の構成によれば、どの記憶装置にも存在しないデータに対応する管理情報は消去される。これにより、ユーザは、管理情報が存在しないデータは完全に消去されていると認識することができる。
【００３０】
本発明に係る情報処理装置では、上記処理手段は、上記管理ファイルにおける或る管理情報に対応するデータの１つを変更した場合、上記管理情報に対応する残りのデータを、上記変更されたデータとするものであってもよい。
【００３１】
上記の構成によれば、或る管理情報に対応する変更の対象となるデータが、複数の記憶装置に記憶されている場合、１つのデータを変更した後、残りのデータも変更後のデータと同じものとする。したがって、変更の対象となるデータに対応する管理情報と対応する他の記憶装置に記憶されているデータに対しても変更の処理を反映することができる
本発明に係る情報処理装置では、上記管理情報は、データの出力履歴を含んでおり、
上記処理手段が、上記管理ファイルにおける或る管理情報に対応するデータの１つを出力した場合、上記管理ファイル更新手段は、管理情報を出力済みにするものであってもよい。
【００３２】
上記の構成によれば、或る管理情報に対応する出力の対象となるデータが、複数の記憶装置に記憶されている場合、１つを出力すれば、出力したデータと対応する管理情報も出力済みとなる。これにより、或る記憶装置から過去に出力されたデータが別の記憶装置から再度出力されることを防止できる。
【００３３】
本発明に係る情報処理装置では、上記外部記憶装置が接続されているか否かを判断する外部記憶装置制御手段を備え、処理の対象となるデータが外部記憶装置に記憶され、かつ外部記憶装置が接続されていない場合、上記外部記憶装置制御手段は、外部記憶装置が接続されていない旨を報知するものであることが好ましい。
【００３４】
上記の構成によれば、処理の対象となるデータが外部記憶装置に記憶され、かつ外部記憶装置が接続されていない場合、外部記憶装置制御手段は、外部記憶装置が接続されていない旨を報知する。これにより、処理の対象となるデータが外部記憶装置に記憶されているにもかかわらず、外部記憶装置が接続されていない場合、ユーザは外部記憶装置が接続されていないことを認識することができる。
【００３５】
ここで、報知の例としては、ＬＣＤ（Liquid Crystal Display）等の表示手段に未接続である旨を表示させる、スピーカ等の音声出力手段から警告音を出力させる等が挙げられる。
【００３６】
本発明に係る情報処理装置では、上記管理ファイル更新手段は、上記外部記憶装置が接続されたとき、該外部記憶装置内に記憶されているデータを検索し、上記内部記憶部に記憶されている該データに対応する管理情報を更新するものであることが好ましい。
【００３７】
上記の構成によれば、外部記憶装置が接続された場合、管理ファイル更新手段は、外部記憶装置に記憶されているデータを検索する。そして、該データに対応する管理情報を更新する。これにより、外部記憶装置に記憶されているデータが、自装置とは別の装置により何らかの処理がなされた場合に、自装置の管理情報を該処理に応じたものとすることができる。
【００３８】
本発明に係る情報処理装置では、上記管理情報は、複数の上記外部記憶装置を識別する識別情報を含むものであることが好ましい。
【００３９】
この場合、管理情報に対応するデータと該データが記憶されている外部記憶装置とを対応づけることができる。
【００４０】
本発明に係る情報処理装置では、データを処理する場合、該データに対応する管理情報の識別情報と接続されている外部記憶装置の識別情報とが対応しないとき、上記処理手段は、外部記憶装置が相違している旨を報知するものであることが好ましい。
【００４１】
上記の構成によれば、処理を行うデータが記憶されている外部記憶装置と異なる外部記憶装置が接続されていた場合、外部記憶装置が相違している旨の報知がなされる。これにより、ユーザは、処理対象のデータが記憶された外部記憶装置が相違していることを認識できる。
【００４２】
なお、上記情報処理装置は、コンピュータによって実現してもよく、この場合には、コンピュータを上記各手段として動作させることにより上記情報処理装置をコンピュータにて実現させる情報処理装置の制御プログラム、およびそれを記録したコンピュータ読み取り可能な記録媒体も、本発明の範疇に入る。
【発明の効果】
【００４３】
以上のように、本発明に係る管理ファイルのデータ構造は、複数の記憶装置に記憶されるデータをそれぞれ管理するための管理情報を含む管理ファイルのデータ構造であって、上記管理ファイルは、元が同じデータであって上記複数の記憶装置に記憶される複数のデータであるファミリーデータ群に対して、１つの管理情報を含む構造である。
【００４４】
これにより、元が同じであるデータに対し、記憶されている装置が異なっていても、該データに対応する管理情報を参照すれば、元が同じであるデータにどのような処理が行われているかを容易に把握することができるという効果を奏する。
【００４５】
また、本発明に係る情報処理装置は、外部記憶装置および内部記憶部を含む複数の記憶装置に記憶されるデータを処理する情報処理装置であって、上記複数の記憶装置に記憶されるデータをそれぞれ管理するための管理情報を含む管理ファイルであって、上記複数の記憶装置に記憶される共通のデータに対して、１つの管理情報を含む管理ファイルを上記内部記憶部に記憶する情報処理装置において、上記複数の記憶装置に記憶されたデータの処理を行う処理手段と、該処理手段が処理を行うと、上記管理ファイルを更新する管理ファイル更新手段とを備える構成である。
【００４６】
また、本発明に係る情報処理装置制御方法は、外部記憶装置および内部記憶部を含む複数の記憶装置に記憶されるデータを処理する情報処理装置であって、上記複数の記憶装置に記憶されるデータをそれぞれ管理するための管理情報を含む管理ファイルであって、上記複数の記憶装置に記憶される共通のデータに対して、１つの管理情報を含む管理ファイルを上記内部記憶部に記憶する情報処理装置の制御方法であって、上記複数の記憶装置に記憶されたデータの処理を行う処理ステップと、該処理ステップにて処理が行われると、上記管理ファイルを更新する管理ファイル更新ステップとを含む方法である。
【００４７】
これにより、処理した内容が管理情報に反映されるので、ユーザは、管理情報からデータに対する処理を認識できるという効果を奏する。
【発明を実施するための最良の形態】
【００４８】
本発明の一実施の形態について図１から図１０に基づいて説明すれば、以下のとおりである。本実施の形態に係る情報処理装置１０は、内部記憶部３または自装置と接続された外部記憶装置６に記憶されているデータに対して、出力、変更、消去等の処理を行うと、該処理内容を示す履歴を内部記憶部３に記憶させるものである。そして、記憶されているデータに対して処理を行う場合、該データがどこに記憶されているかを判別して、処理を行うものである。
【００４９】
図1は、本実施の形態に係る情報処理装置１０のブロック図である。図1に示すように、情報処理装置１０は、表示部１、操作部２、内部記憶部３、入力部４、センサ７、制御部８、および出力部１１を備え、制御部８はさらに、外部記憶装置制御部（外部記憶装置制御手段）５、管理ファイル更新部（管理ファイル更新手段）９、処理部（処理手段）１２および判別部１３を備える構成である。
【００５０】
表示部１は、処理部１２から表示データを受信し、表示データに基づいた表示を行う。表示データの内容としては、情報処理装置１０の状態、ユーザが情報処理装置１０に対して行っている操作の内容や現在の操作状況、内部記憶部３や外部記憶装置６に記憶されているデータの内容、および該データの管理情報等が挙げられる。また、この表示部１としては、データの表示が可能な表示装置であればどのような装置によって実現されてもよいが、具体的な例としては、液晶表示装置が挙げられる。
【００５１】
操作部２は、ユーザが情報処理装置１０に対して行う処理を受けつけ、受けつけた内容を示す指示データを処理部１２へ送信する。
【００５２】
内部記憶部３は、入力部４から入力されたデータを記憶しているメモリである。入力部４から入力されたデータは処理部１２を介して内部記憶部３に記憶される。また、内部記憶部３は記憶されているデータおよび外部記憶装置６に記憶されているデータに対する出力、変更、消去等の処理の履歴を示す管理情報も記憶している。これらの管理情報は管理ファイル更新部９により記憶される。内部記憶部３の一例としては、不揮発性メモリであれば何でもよいが、例えばフラッシュメモリが挙げられる。
【００５３】
ここで、管理情報について説明する。図２は、管理情報の内容を示す図である。図２に示すように、管理情報には、管理番号、記憶している装置の内外、出力の有無、消去の有無、変更の有無、データサイズ、蓄積日時、入力装置、データの種類、格納ディレクトリ、外部記憶装置のタグ情報（識別情報）等の情報が含まれる。そして、管理情報はデータが内部記憶部３または外部記憶装置６に記憶されたときに、管理ファイル更新部９によって、作成され、内部記憶部３に記憶される。また、管理ファイル更新部９は、データに対する出力、変更、消去等の処理が行われた場合、該処理内容を示す履歴を管理情報に書き込むことによって、管理情報を更新する。ここに示すように、管理情報には記憶している装置の内外が含まれており、データの内容が同じであれば、記憶されている装置が異なっていても、同一の管理情報に記憶される。
【００５４】
また、図３は、内部記憶部３に記憶されているデータおよび複数の管理情報を含む管理ファイル、外部記憶装置６に記憶されているデータおよび外部記憶装置６に対応するタグ情報を示す図である。ここでは、管理情報のうち、管理番号、記憶している装置の内外、出力の有無、消去の有無、変更の有無、外部記憶装置のタグ情報を示している。
【００５５】
図３に示した例では、例えば、管理番号が「Ａ」というデータは、タグ情報がａｂｃである外部記憶装置６にのみ記憶され、該データに対する出力、消去、変更はされていないということを示している。また、管理番号が「Ｂ」というデータは、内部記憶部３に記憶され、該データは出力済みであるということを示している。さらに、管理番号が「Ｃ」というデータは、タグ情報がａｂｃに対応する外部記憶装置６と内部記憶部３との両方に記憶され、外部記憶装置６に記憶されているデータは変更済み、内部記憶部３に記憶されているデータは、出力済みであることを示している。同様に、管理番号が「Ｄ」および「Ｅ」というデータは、ともにタグ情報がｘｙｚに対応する外部記憶装置６に記憶され、「Ｄ」は変更済み、「Ｅ」は何の処理もされていないことを示している。
【００５６】
ここで、管理番号が「Ｃ」というデータは、外部記憶装置６と内部記憶部３との両方に記憶されている。そして、外部記憶装置６に記憶されているデータは変更されている。ただし、元々、外部記憶装置６と内部記憶部３に記憶されていたデータは同じものであり、外部記憶装置６に記憶されているデータは、元は同じデータから変更されたものである。そこで、外部記憶装置６に記憶されている「Ｃ」に対応するデータと内部記憶部３に記憶されている「Ｃ」に対応するデータを合わせてファミリーデータ群と呼ぶ。
【００５７】
入力部４は、情報処理装置１０で処理するデータの入力を受けつける。そして受けつけたデータを入力データとして処理部１２へ送信する。入力部４の一例としてはスキャナーが挙げられる。
【００５８】
外部記憶装置制御部５は、情報処理装置１０と外部記憶装置６とが接続されている場合に、情報処理装置１０と外部記憶装置６とのデータの送受信を制御する。具体的には、外部記憶装置６から受信したデータを処理部１２へ送信する。また処理部１２から受信したデータを外部記憶装置６へ送信する。そして、処理部１２から受信したデータが外部記憶装置６に記憶されているデータに対する処理を行うことを示すデータであった場合は、外部記憶装置６に記憶されているデータに対し該処理を行う。また、センサ７から受信した外部記憶装置６の接続の有無を示すデータを処理部１２へ送信する。
【００５９】
センサ７は、外部記憶装置６が情報処理装置１０と接続されているか否かを検知する。そして、検知した結果を示すデータを外部記憶装置制御部５へ送信する。
【００６０】
処理部１２は、情報処理装置１０の各部の処理を行う。具体的には、ユーザが操作部２により、あるデータを内部記憶部３または外部記憶装置６へ記憶させるという操作を行った場合、処理部１２は、操作部２から受信した指示データに基づき、入力部４から入力データを受信する。そして、受信した入力データを内部記憶部３または外部記憶装置制御部５へ送信する。また、内部記憶部３または外部記憶装置制御部５へ送信したという内容を示すデータを管理ファイル更新部９へ送信する。それと同時に、ユーザが行っている処理、および今後の処理内容を表示する表示データを表示部１へ送信する。
【００６１】
また、ユーザが操作部２により、内部記憶部３または外部記憶装置６に記憶されているデータを表示部１に表示させるという操作を行った場合、処理部１２は、判別部１３に該データがどこに記憶されているのかを判別させる信号を送信する。そして、判別部１３から判別結果を示す信号を受信する。受信した判別結果が、内部記憶部３だった場合、操作部２から受信した指示データに基づき、内部記憶部３から該データを取得し、表示データとして表示部１へ送信する。一方、受信した判別結果が、外部記憶装置６だった場合、外部記憶装置制御部５を介して、外部記憶装置６から該データを取得し、表示データとして、表示部１へ送信する。
【００６２】
また、ユーザが操作部２により、内部記憶部３または外部記憶装置６に記憶されているデータを出力部１１より出力する操作を行った場合、処理部１２は、判別部１３に該データがどこに記憶されているのかを判別させる信号を送信する。そして、判別部１３から判別結果を示す信号を受信する。受信した判別結果が、内部記憶部３だった場合、操作部２から受信した指示データに基づき、内部記憶部３に記憶されている該データを出力部１１へ送信する。一方、受信した判別結果が、外部記憶装置６だった場合、外部記憶装置制御部５を介して、外部記憶装置６から該データを取得し出力部１１へ送信する。そして、該データを出力したという内容を示すデータを管理ファイル更新部９へ送信する。
【００６３】
また、ユーザが操作部２により、内部記憶部３または外部記憶装置６に記憶されているデータに対し変更処理を行う操作をした場合、処理部１２は、判別部１３に該データがどこに記憶されているのかを判別させる信号を送信する。そして、判別部１３から判別結果を示す信号を受信する。受信した判別結果が、内部記憶部３だった場合、操作部２から受信した指示データに基づき、内部記憶部３に記憶されている該データを変更するとともに、変更状況を示す表示データを表示部１へ送信する。一方、受信した判別結果が、外部記憶装置６だった場合、外部記憶装置制御部５を介して、外部記憶装置６に記憶されているデータを変更する。そして、該データを変更したという内容を示すデータを管理ファイル更新部９へ送信する。
【００６４】
また、ユーザが操作部２により、内部記憶部３または外部記憶装置６に記憶されているデータを消去する操作を行った場合、処理部１２は、判別部１３に該データがどこに記憶されているのかを判別させる信号を送信する。そして、判別部１３から判別結果を示す信号を受信する。受信した判別結果が、内部記憶部３だった場合、操作部２から受信した指示データに基づき、内部記憶部３に記憶されている該データを消去する。一方、受信した判別結果が、外部記憶装置６だった場合、外部記憶装置制御部５を介して、外部記憶装置６に記憶されている該データを消去する。また、該データが、内部記憶部３と外部記憶装置６との両方に記憶されていた場合、上記処理を順に行い、両方に記憶されている該データを消去する。そして、該データを消去したという内容を示すデータを管理ファイル更新部９へ送信する。
【００６５】
管理ファイル更新部９は、処理部１２から受信した、内部記憶部３に記憶されているデータに対する処理または外部記憶装置６に記憶されているデータに対する処理を示すデータから管理情報を作成し、内部記憶部３へ記憶させる。また、内部記憶部３にも外部記憶装置６にも記憶されていないデータに対応する管理情報は、内部記憶部３から消去する。
【００６６】
出力部１１は、制御部８から受信した出力データに基づき、データを出力する。出力部１１の一例としてはプリンタが挙げられる。
【００６７】
判別部１３は、処理部１２から受信した信号に基づいて、該信号が示すデータがどこに記憶されているかを内部記憶部３の管理情報を用いて判別する。そして判別した結果を示す信号を処理部１２に送信する。
【００６８】
そして、情報処理装置１０は外部記憶装置６と接続できる構成である。外部記憶装置６は、データを記憶できる記憶装置である。外部記憶装置６の具体例としては、外付けのハードディスク、フロッピー（登録商標）ディスク装置、ＣＤ−Ｒ装置、ＤＶＤ装置およびＵＳＢメモリ等が挙げられる。
【００６９】
次に、情報処理装置１０における処理の流れを図４から図１０を用いて説明する。図４から図１０は情報処理装置１０における処理の流れを示すフローチャートである。
【００７０】
図４は、データを内部記憶部３または外部記憶装置６に記憶する流れを示すフローチャートである。
【００７１】
図４に示すように、データを記憶する場合、まず、処理部１２は、データの指示された記憶先は、内部記憶部３かどうかを判断する（Ｓ４０１）。指示された記憶先が内部記憶部３であれば（Ｓ４０１でＹＥＳ）、内部記憶部３にデータを記憶する（Ｓ４０２）。そして、データを内部記憶部３へ記憶したという内容を示す管理情報を内部記憶部３に記憶する（Ｓ４０３）。一方、指示された記憶先が内部記憶部３ではなければ（Ｓ４０１でＮＯ）、処理部１２は外部記憶装置制御部５を介して、外部記憶装置６が接続されているかどうかを判断する（Ｓ４０４）。外部記憶装置６が接続されていれば（Ｓ４０４でＹＥＳ）、外部記憶装置６にデータを記憶する（Ｓ４０５）。そして、データを外部記憶装置６へ記憶したという内容を示す管理情報を内部記憶部３に記憶する（Ｓ４０３）。また、Ｓ４０４で外部記憶装置６が接続されていなければ（Ｓ４０４でＮＯ）、処理部１２は、データを内部記憶部３へ記憶する（Ｓ４０２）。
【００７２】
図５、図６は、内部記憶部３または外部記憶装置６に記憶されているデータを消去する場合の処理の流れを示すフローチャートである。そして、図６は、外部記憶装置６が接続されていない場合、接続されていない旨の表示を表示部１に表示する場合である。
【００７３】
図５に示すように、データを消去する場合、まず、処理部１２は、内部記憶部３に記憶されている管理ファイルから該データに対応する管理情報を検索する（Ｓ５０１）。そして、検索した管理情報から、判別部１３は該データが外部記憶装置６に存在するか否かを判別する（Ｓ５０２）。該データが、外部記憶装置６に存在すれば（Ｓ５０２でＹＥＳ）、次に処理部１２は外部記憶装置制御部５を介して、外部記憶装置６が接続されているか否かを判断する（Ｓ５０５）。
【００７４】
そして、外部記憶装置６が接続されていれば（Ｓ５０５でＹＥＳ）、次に外部記憶装置６に該データが存在するか否かを調べる（Ｓ５０６）。そして、外部記憶装置６に該データが存在すれば（Ｓ５０６でＹＥＳ）、処理部１２は外部記憶装置６の該データを消去する（Ｓ５０７）。次に、判別部１３は該データが内部記憶部３にも存在するか否かを判別する（Ｓ５０８）。そして、内部記憶部３に該データが存在しなければ（Ｓ５０８でＮＯ）、管理ファイル更新部９は、該データに対応する管理情報を削除する（Ｓ５０４）。
【００７５】
一方、管理情報を検索した結果、該データが外部記憶装置６に存在しなければ（Ｓ５０２でＮＯ）、または、内部記憶部３にも該データが存在すれば（Ｓ５０８のＹＥＳ）、処理部１２は、内部記憶部３に存在する該データを消去する（Ｓ５０３）。そして、管理ファイル更新部９は、該データに対応する管理情報を削除する（Ｓ５０４）。
【００７６】
また、外部記憶装置６が接続されていなかった場合（Ｓ５０５でＮＯ）、判別部１３は、内部記憶部３にも該データが存在するか否かを判別する（Ｓ５０９）。そして、該データが内部記憶部３にも存在すれば（Ｓ５０９でＹＥＳ）、Ｓ５０３へ進み、存在しなければ（Ｓ５０９でＮＯ）、そのまま処理を終了する。
【００７７】
次に、外部記憶装置６が接続されていなかった場合、表示部１に接続されていない旨の表示を行う場合の処理の流れを図６を用いて説明する。また、上記図５における処理の流れと異なる点のみ説明する。下記以外の点は、上記図５の説明と同様である。
【００７８】
本処理において、上記図５の外部記憶装置６の接続の有無を判断するステップ（Ｓ５０５）までは、図５に示す処理と同じである。そして、外部記憶装置６が接続されていなければ（Ｓ６０５でＮＯ、図５のＳ５０５でＮＯ）、処理部１２は表示部１に外部記憶装置６が接続されていない旨を表示させる（Ｓ６０９）。その後、所定の時間内に外部記憶装置６の接続が確認できなければ（Ｓ６１０でＹＥＳ）、判別部１３は、該データが内部記憶部３にも存在するか否かを判断する（Ｓ６１３）。その後は、図５におけるＳ５０９のステップと同じ処理を行う。
【００７９】
一方、外部記憶装置６が接続されていれば（Ｓ６０５でＹＥＳ）、判別部１３は、外部記憶装置６に該データが記憶されているか否かを判別する（Ｓ６０６）。そして、外部記憶装置６に該データが記憶されていなかった場合（Ｓ６０６でＮＯ）、処理部１２は、表示部１に外部記憶装置６に該データが存在しない旨の表示させる（Ｓ６１１）。そして、所定の時間内に該データを記憶している外部記憶装置６が接続されなければ（Ｓ６１２でＹＥＳ）、判別部１３は、内部記憶部３にも該データが存在するか否かを判断する（Ｓ６１３）。その後は、図５におけるＳ５０９のステップと同じ処理を行う。
【００８０】
次に、データを出力する場合の処理の流れについて図７を用いて説明する。図７は、内部記憶部３または外部記憶装置６に記憶されているデータを出力する場合の処理の流れを示すフローチャートである。図７に示すように、データを出力する場合、処理部１２は、内部記憶部３に記憶されている管理ファイルから該データに対応する管理情報を検索する（Ｓ７０１）。
【００８１】
そして、検索した管理情報から、判別部１３は、該データが内部記憶部３に存在するか否かを判別する（Ｓ７０２）。内部記憶部３に該データが存在すれば（Ｓ７０２でＹＥＳ）、処理部１２は、出力部１１より該データを出力させる（Ｓ７０３）。そして、管理ファイル更新部９は、該データを出力したという履歴を管理情報に書き込むことによって管理情報を更新する（Ｓ７０４）。このとき、外部記憶装置６にも該データが記憶されていれば、外部記憶装置６に対応する管理情報に対しても出力済みとしてもよい。
【００８２】
一方、該データが内部記憶部３に存在しなければ（Ｓ７０２でＮＯ）、処理部１２は、外部記憶装置制御部５を介して、外部記憶装置６が接続されているか否かを判断する（Ｓ７０５）。外部記憶装置６が接続されていれば（Ｓ７０５でＹＥＳ）、処理部１２は、外部記憶装置６に該データが存在するか否かを判断する（Ｓ７０６）。そして、外部記憶装置６に該データが存在すれば（Ｓ７０６でＹＥＳ）、処理部１２は該データを出力部１１より出力させる（Ｓ７０７）。そして、管理ファイル更新部９は、該データを出力したという履歴を管理情報に書き込むことによって管理情報を更新する（Ｓ７０４）。
【００８３】
また、外部記憶装置６が接続されていなければ（Ｓ７０５でＮＯ）、処理部１２は、表示部１に外部記憶装置６が接続されていない旨の表示をさせる（Ｓ７０８）。そして、所定の時間内に外部記憶装置６が接続されなければ、または出力がキャンセルされると（Ｓ７０９でＹＥＳ）、そのまま処理を終了する。
【００８４】
また、外部記憶装置６に該データが存在しなければ（Ｓ７０６でＮＯ）、処理部１２は、表示部１に外部記憶装置６に該データが存在しない旨の表示をさせる（Ｓ７１０）。そして、所定の時間内に該データを記憶している外部記憶装置６が接続されなければ、または出力がキャンセルされると（Ｓ７１１でＹＥＳ）、そのまま処理を終了する。
【００８５】
次に、データを変更する場合の処理の流れについて図８を用いて説明する。図８は、内部記憶部３または外部記憶装置６に記憶されているデータを変更する場合の処理の流れを示すフローチャートである。図８に示すように、データを変更する場合、処理部１２は、内部記憶部３に記憶されている管理ファイルから、該データに対応する管理情報を検索する（Ｓ８０１）。
【００８６】
そして、検索した管理情報から、判別部１３は、該データが外部記憶装置６に存在するか否かを判別する（Ｓ８０２）。外部記憶装置６に該データが存在すれば（Ｓ８０２でＹＥＳ）、処理部１２は、外部記憶装置制御部５を介して外部記憶装置６が接続されているか否かを判断する（Ｓ８０５）。外部記憶装置６が接続されていれば（Ｓ８０５でＹＥＳ）、処理部１２は、外部記憶装置６に該データが存在するか否かを判断する（Ｓ８０６）。そして、外部記憶装置６に該データが存在すれば（Ｓ８０６でＹＥＳ）、処理部１２は該データを変更する（Ｓ８０７）。
【００８７】
次に、判別部１３は内部記憶部３にも該データが存在するか否かを判別する（Ｓ８０８）。そして、内部記憶部３にも該データが存在すれば（Ｓ８０８でＹＥＳ）、または管理情報から、該データが外部記憶装置６に存在しなければ（Ｓ８０２でＮＯ）、内部記憶部３に記憶されている該データを変更する（Ｓ８０３）。内部記憶部３に該データが存在しなければ（Ｓ８０８でＮＯ）、管理ファイル更新部９は、該データを変更したという履歴を管理情報に書き込むことによって管理情報を更新する（Ｓ８０４）。
【００８８】
一方、外部記憶装置６が接続されていなければ（Ｓ８０５でＮＯ）、処理部１２は、表示部１に外部記憶装置６が接続されていない旨の表示をさせる（Ｓ８０９）。そして、所定の時間内に外部記憶装置６が接続されなければ（Ｓ８１０でＹＥＳ）、判別部１３は、該データが内部記憶部３にも存在するか否かを判別する（Ｓ８１３）。そして、該データが内部記憶部３に存在すれば（Ｓ８１３でＹＥＳ）、または管理情報から、該データが外部記憶装置６に存在しなければ（Ｓ８０２でＮＯ）、処理部１２は、内部記憶部３に記憶されている該データを変更する（Ｓ８０３）。そして、管理ファイル更新部９は該データを変更したという履歴を管理情報に書き込むことによって、管理情報を更新する（Ｓ８０４）。内部記憶部３に該データ存在しなければ（Ｓ８１３でＮＯ）、そのまま処理を終了する。
【００８９】
また、外部記憶装置６に該データが存在しなければ（Ｓ８０６でＮＯ）、処理部１２は、表示部１に、外部記憶装置６に該データが存在しない旨の表示をさせる（Ｓ８１１）。そして、所定の時間内に該データを記憶している外部記憶装置６が接続されなければ（Ｓ８１２でＹＥＳ）、判別部１３は、内部記憶部３にも該データが存在するか否かを判別する（Ｓ８１３）。そして、内部記憶部３に該データが存在すれば（Ｓ８１３でＹＥＳ）、Ｓ８０３に進み、存在しなければ（Ｓ８１３でＮＯ）、そのまま処理を終了する。
【００９０】
次に、外部記憶装置６が接続されたときの管理情報の更新の流れについて図９を用いて説明する。図９は、外部記憶装置６が接続されたときの処理の流れを示すフローチャートである。本実施の形態では、外部記憶装置６が接続されると外部記憶装置６のタグ情報を認識し、管理情報を更新する。
【００９１】
外部記憶装置６が接続されると、処理部１２は、外部記憶装置制御部５を介して外部記憶装置６のタグ情報を検索する（Ｓ９０１）。タグ情報を検索した結果、外部記憶装置６にタグ情報が存在しなければ（Ｓ９０２でＮＯ）、外部記憶装置６にタグ情報を作成する（Ｓ９０３）。そして、管理ファイル更新部９は、外部記憶装置６内に記憶されているの全ての記憶データについて管理情報を作成し、内部記憶部３に記憶する（Ｓ９０４）。
【００９２】
一方、外部記憶装置６にタグ情報が存在すれば（Ｓ９０２でＹＥＳ）、処理部１２は、タグ情報と各記憶データの格納ディレクトリ、およびファイル名等から内部記憶部３に記憶されている管理情報に、該記憶データに対応する管理情報が存在するか検索する（Ｓ９０５）。
【００９３】
そして、対応する管理情報が存在すれば（Ｓ９０６でＹＥＳ）、該記憶データのタイムスタンプが対応する管理情報の蓄積日時と異なっているかを判断する（Ｓ９０７）。そして、異なっていれば（Ｓ９０７でＹＥＳ）、処理部１２は該データに対し変更があったとして、管理ファイル更新部９に、変更済みの履歴を管理情報に書き込ませることによって管理情報を更新する（Ｓ９０８）。
【００９４】
また、対応する管理情報が存在しなければ（Ｓ９０６でＮＯ）、それは、他の装置においてデータが記憶されたということになるので、処理部１２は、管理ファイル更新部９に、新たに該データに対応する管理情報を作成させ、内部記憶部３に記憶させる（Ｓ９１３）。また、該記憶データのタイムスタンプが対応する管理情報の蓄積日時と異なっていなければ（Ｓ９０７でＮＯ）、そのまま他の記憶データに対応する管理情報の検索を続ける。
【００９５】
そして、外部記憶装置６に記憶されている全ての記憶データについて、対応する管理情報が存在するか否かの検索が終了すると（Ｓ９０９でＹＥＳ）、処理部１２は、外部記憶装置６とタグ情報が一致している管理情報は存在するが、管理情報に対応する記憶データが外部記憶装置６に存在しないものがあるか否かを判断する（Ｓ９１０）。上記存在しないものがあれば（Ｓ９１０でＹＥＳ）、処理部１２は該管理情報に対応するデータが内部記憶部３に記憶されているか否かを判断する（Ｓ９１１）。そして、該データが内部記憶部３に記憶されていなければ（Ｓ９１１でＮＯ）、管理ファイル更新部９は、該管理情報を消去する（Ｓ９１２）。また、Ｓ９１０でＮＯ、Ｓ９１１でＹＥＳの場合は、そのまま処理を終了する。
【００９６】
次に、出力、消去、変更等の各種処理を行う対象となるデータのみに対し、処理を行う場合の流れについて図１０を用いて説明する。図１０は、対象となるデータのみに対し、処理を行う場合の流れを示すフローチャートである。図１０に示すように、対象となるデータのみに対し処理を行う場合、処理部１２は、内部記憶部３に記憶されている管理ファイルから、該データに対応する管理情報を検索する（Ｓ１００１）。
【００９７】
そして、処理部１２は、外部記憶装置６に記憶されているデータが処理の対象であるか否かを判断する（Ｓ１００２）。外部記憶装置６に記憶されているデータが処理の対象であれば（Ｓ１００２でＹＥＳ）、処理部１２は、外部記憶装置制御部５を介して外部記憶装置６が接続されているか否かを判断する（Ｓ１００５）。外部記憶装置６が接続されていれば（Ｓ１００５でＹＥＳ）、処理部１２は、外部記憶装置６に該データが存在するか否かを判断する（Ｓ１００６）。
【００９８】
そして、外部記憶装置６に該データが存在すれば（Ｓ１００６でＹＥＳ）、処理部１２は該データを処理する（Ｓ１００７）。そして、管理ファイル更新部９は、該データを処理したという履歴を管理情報に書き込むことによって管理情報を更新する（Ｓ１００４）。
【００９９】
一方、外部記憶装置６が接続されていなければ（Ｓ１００５でＮＯ）、処理部１２は、表示部１に外部記憶装置６が接続されていない旨の表示をさせる（Ｓ１００８）。そして、所定の時間内に外部記憶装置６が接続されなければ（Ｓ１００９でＹＥＳ）、そのまま処理を終了する。また、外部記憶装置６に該データが存在しなければ（Ｓ１００６でＮＯ）、処理部１２は、表示部１に、外部記憶装置６に該データが存在しない旨の表示をさせる（Ｓ１０１０）。そして、所定の時間内に該データを記憶している外部記憶装置６が接続されなければ（Ｓ１０１１でＹＥＳ）、そのまま処理を終了する。
【０１００】
また、外部記憶装置６に記憶されているデータが処理の対象でなければ（Ｓ１００２でＮＯ）、処理部１２は、内部記憶部３に記憶されている該データを処理する（Ｓ１００３）。そして、管理ファイル更新部９は該データを処理したという履歴を管理情報に書き込むことによって、管理情報を更新する（Ｓ１００４）。そして処理を終了する。
【０１０１】
なお、本実施の形態をファクシミリ装置に適用することも可能である。ファクシミリ装置に適用した場合、通信回線を通じて受信したデータおよび自装置で読み取ったデータ等を自装置内部または外部記憶装置に記憶させることができる。
【０１０２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０３】
最後に、情報処理装置１０の各ブロック、特に制御部８を構成する外部記憶装置制御部５、管理ファイル更新部９、処理部１２および判別部１３は、ハードウェアロジックによって構成してもよいし、次のようにＣＰＵを用いてソフトウェアによって実現してもよい。
【０１０４】
すなわち、情報処理装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである情報処理装置１０の制御プログラムのプログラムコード（実行形式プログラム、中間コードプログラム、ソースプログラム）をコンピュータで読み取り可能に記録した記録媒体を、上記情報処理装置１０に供給し、そのコンピュータ（またはＣＰＵやＭＰＵ）が記録媒体に記録されているプログラムコードを読み出し実行することによっても、達成可能である。
【０１０５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０６】
また、情報処理装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０７】
同じデータが異なる記憶装置に記憶されている場合、それぞれのデータにどのような処理が行われているかを容易に把握できるので、自装置以外にもデータを記憶できる装置、特に、外部記憶装置を接続可能な情報処理装置に好適である。
【図面の簡単な説明】
【０１０８】
【図１】本発明の実施の形態を示すものであり、情報処理装置の要部構成を示すブロック図である。
【図２】上記実施の形態における管理情報の内容を示す図である。
【図３】上記実施の形態における内部記憶部と外部記憶装置との対応関係を示す図である。
【図４】上記実施の形態におけるデータを記憶する場合の処理の流れを示すフローチャートである。
【図５】上記実施の形態におけるデータを消去する場合の処理の流れを示すフローチャートである。
【図６】上記実施の形態におけるデータを消去する場合の処理の流れを示すフローチャートである。
【図７】上記実施の形態におけるデータを出力する場合の処理の流れを示すフローチャートである。
【図８】上記実施の形態におけるデータを変更する場合の処理の流れを示すフローチャートである。
【図９】上記実施の形態における外部記憶装置を接続した場合の処理の流れを示すフローチャートである。
【図１０】上記実施の形態における対象となるデータのみに対し、処理を行う場合の流れを示すフローチャートである。
【符号の説明】
【０１０９】
１    表示部
２    操作部
３    内部記憶部
４    入力部
５    外部記憶装置制御部（外部記憶装置制御手段）
６    外部記憶装置
７    センサ
８    制御部
９    管理ファイル更新部（管理ファイル更新手段）
１０    情報処理装置
１１    出力部
１２    処理部（処理手段）
１３    判別部
【図１】
2008299446.tif 000003
【図２】
2008299446.tif 000004
【図３】
2008299446.tif 000005
【図４】
2008299446.tif 000006
【図５】
2008299446.tif 000007
【図６】
2008299446.tif 000008
【図７】
2008299446.tif 000009
【図８】
2008299446.tif 000010
【図９】
2008299446.tif 000011
【図１０】
2008299446.tif 000012